(57)【特許請求の範囲】
【請求項１】
機器を動作させるためにユーザへの問い合わせを必要とする複数の事項のうちの第１の事項について問い合わせるための第１の通常画面であって複数の選択項目が表示された第１の通常画面を表示する第１の画面表示手段と、
前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の画面表示手段と、
前記第１の通常画面が表示された後、予め定められた時間内にユーザからの回答が無かった場合、または、予め想定している操作とは異なる操作がユーザによりなされた場合、表示画面を順次切り替えて、前記第１の事項に関する前記複数の選択項目に含まれる個々の選択項目を順に表示するとともに、表示している選択項目を選択するか否かの問い合わせをユーザに対して行う第１の案内手段と、
前記第１の案内手段による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を順次切り替えて、当該第２の事項に関する当該複数の選択項目に含まれる個々の選択項目を順に表示するとともに、表示している選択項目を選択するか否かの問い合わせをユーザに対して行う第２の案内手段と、
を備える電子機器。
【請求項２】
機器を動作させるためにユーザへの問い合わせを必要とする複数の事項のうちの第１の事項について問い合わせるための第１の通常画面であって複数の選択項目が表示された第１の通常画面を表示する第１の画面表示手段と、
前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の画面表示手段と、
前記第１の通常画面が表示された後、予め定められた時間内にユーザからの回答が無かった場合、または、予め想定している操作とは異なる操作がユーザによりなされた場合、表示画面の切り替えを行い、前記第１の事項に関する前記複数の選択項目の総数よりも少ない数の選択項目を表示するとともに、当該選択項目を選択するか否かの問い合わせをユーザに対して行う第１の案内手段と、
前記第１の案内手段による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を切り替えて、当該第２の事項に関する当該複数の選択項目の総数よりも少ない数の選択項目の表示を行うととともに、当該選択項目を選択するか否かの問い合わせをユーザに対して行う第２の案内手段と、
を備える電子機器。
【請求項３】
機器を動作させるためにユーザへの問い合わせを必要とする複数の事項のうちの第１の事項について問い合わせるための第１の通常画面を表示する第１の画面表示手段と、
前記第１の通常画面が表示された後、予め想定している操作が予め定められた時間内にユーザによりなされ当該ユーザからの回答があった場合に、前記複数の事項のうちの第２の事項について問い合わせるための第２の通常画面を表示する第２の画面表示手段と、
前記第１の通常画面が表示された後、予め定められた時間内にユーザからの回答が無かった場合、または、予め想定している操作とは異なる操作がユーザによりなされた場合に、回答を補助するための案内を行う第１の案内手段と、
前記第１の案内手段による案内が行われた後に前記第２の事項についての問い合わせがユーザに対して行われる際、回答を補助するための案内は行わずに最初に前記第２の通常画面を表示し、当該第２の通常画面を表示した後、予め定められた時間内にユーザからの回答が無かった場合、または、予め想定している操作とは異なる操作がユーザによりなされた場合、回答を補助するための当該案内を行う第２の案内手段と、
を備え、
前記第１の案内手段は、予め定められた表示を行うことで前記案内を行うとともに当該表示を順次切り替え複数の事項について案内を行うとともに、当該表示を切り替える度に、表示している事項を選択するか否かの問い合わせをユーザに対して行い、
前記第１の案内手段が前記表示を順次切り替え前記事項を順に表示していく際、当該第１の案内手段は、ユーザにより選択される頻度の高い事項から順に当該表示を行う電子機器。
【請求項４】
前記第１の案内手段は、予め想定している操作が前記予め定められた時間内にユーザによりなされ当該ユーザからの回答があったとしても、当該回答の後になされる予定の他の回答が予め定められた時間内になされない場合、前記案内を開始することを特徴とする請求項３記載の電子機器。
【請求項５】
前記第１の案内手段は、予め定められた表示を行うことで前記案内を行うとともに予め定められた音声を出力し当該案内を行うことを特徴とする請求項３又は４に記載の電子機器。
【請求項６】
機器を動作させるためにユーザへの問い合わせを必要とする複数の事項のうちの第１の事項について問い合わせるための第１の通常画面であって複数の選択項目が表示された第１の通常画面を表示する第１の表示制御機能と、
前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の表示制御機能と、
前記第１の通常画面が表示された後、予め定められた時間内にユーザからの回答が無かった場合、または、予め想定している操作とは異なる操作がユーザによりなされた場合、表示画面を順次切り替えて、前記第１の事項に関する前記複数の選択項目に含まれる個々の選択項目を順に表示するとともに、表示している選択項目を選択するか否かの問い合わせをユーザに対して行う第１の案内機能と、
前記第１の案内機能による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を順次切り替えて、当該第２の事項に関する当該複数の選択項目に含まれる個々の選択項目を順に表示するとともに、表示している選択項目を選択するか否かの問い合わせをユーザに対して行う第２の案内機能と、
をコンピュータに実現させるためのプログラム。
【請求項７】
機器を動作させるためにユーザへの問い合わせを必要とする複数の事項のうちの第１の事項について問い合わせるための第１の通常画面であって複数の選択項目が表示された第１の通常画面を表示する第１の表示制御機能と、
前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の表示制御機能と、
前記第１の通常画面が表示された後、予め定められた時間内にユーザからの回答が無かった場合、または、予め想定している操作とは異なる操作がユーザによりなされた場合、表示画面の切り替えを行い、前記第１の事項に関する前記複数の選択項目の総数よりも少ない数の選択項目を表示するとともに、当該選択項目を選択するか否かの問い合わせをユーザに対して行う第１の案内機能と、
前記第１の案内機能による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を切り替えて、当該第２の事項に関する当該複数の選択項目の総数よりも少ない数の選択項目の表示を行うととともに、当該選択項目を選択するか否かの問い合わせをユーザに対して行う第２の案内機能と、
をコンピュータに実現させるためのプログラム。
【請求項８】
機器を動作させるためにユーザへの問い合わせを必要とする複数の事項のうちの第１の事項について問い合わせるための第１の通常画面を表示する第１の表示制御機能と、
前記第１の通常画面が表示された後、予め想定している操作が予め定められた時間内にユーザによりなされ当該ユーザからの回答があった場合に、前記複数の事項のうちの第２の事項について問い合わせるための第２の通常画面を表示する第２の表示制御機能と、
前記第１の通常画面が表示された後、予め定められた時間内にユーザからの回答が無かった場合、または、予め想定している操作とは異なる操作がユーザによりなされた場合に、回答を補助するための案内を行う第１の案内機能と、
前記第１の案内機能による案内が行われた後に前記第２の事項についての問い合わせがユーザに対して行われる際、回答を補助するための案内は行わずに最初に前記第２の通常画面を表示し、当該第２の通常画面を表示した後、予め定められた時間内にユーザからの回答が無かった場合、または、予め想定している操作とは異なる操作がユーザによりなされた場合、回答を補助するための当該案内を行う第２の案内機能と、
をコンピュータに実現させるためのプログラムであり、
前記第１の案内機能は、予め定められた表示を行うことで前記案内を行うとともに当該表示を順次切り替え複数の事項について案内を行うとともに、当該表示を切り替える度に、表示している事項を選択するか否かの問い合わせをユーザに対して行い、
前記第１の案内機能が前記表示を順次切り替え前記事項を順に表示していく際、当該第１の案内機能は、ユーザにより選択される頻度の高い事項から順に当該表示を行うプログラム。
【発明の詳細な説明】
【技術分野】
【０００１】
本発明は、電子機器およびプログラムに関する。
【背景技術】
【０００２】
音声特徴抽出部で抽出された音声特徴を、ユーザ情報記憶部で保持する音声特徴辞書と比較し、認識候補の中からユーザが発声したキーワードを認識し、認識したキーワードから機器を制御するコマンドを機器制御部へ送り機器を制御する機器制御装置が知られている（例えば、特許文献１参照）。
また、操作履歴で蓄積された過去の操作履歴に基づいて、操作受付手段で受け付けた操作が過去の操作履歴と異なるか否かを判定し、過去の操作履歴と異なった場合に、操作受付手段で受け付けた操作が誤操作であるとみなし、その利用者に報知する技術が知られている（例えば、特許文献２参照）。
また、エラー検出手段でエラーが検出された場合、操作記憶手段で記憶した一連のユーザ操作に基づいて、ユーザが希望する動作内容を予測し、予測された動作内容をユーザに操作させるための誘導を行うガイダンスを出力する装置が知られている（例えば、特許文献３参照）。
【先行技術文献】
【特許文献】
【０００３】
【特許文献１】特開２００１−２６８６６９号公報
【特許文献２】特開２００６−２２９６５２号公報
【特許文献３】特開２００６−３４３８４２号公報
【発明の概要】
【発明が解決しようとする課題】
【０００４】
本発明の目的は、操作に不慣れな者が機器に対する情報の入力を行う際の操作性を向上させつつ情報の入力を終えるまでの時間を短くすることが可能な電子機器等を提供することにある。
【課題を解決するための手段】
【０００５】
請求項１に記載の発明は、機器を動作させるためにユーザへの問い合わせを必要とする複数の事項のうちの第１の事項について問い合わせるための第１の通常画面であって複数の選択項目が表示された第１の通常画面を表示する第１の画面表示手段と、前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の画面表示手段と、前記第１の通常画面が表示された後、予め定められた時間内にユーザからの回答が無かった場合、または、予め想定している操作とは異なる操作がユーザによりなされた場合、表示画面を順次切り替えて、前記第１の事項に関する前記複数の選択項目に含まれる個々の選択項目を順に表示するとともに、表示している選択項目を選択するか否かの問い合わせをユーザに対して行う第１の案内手段と、前記第１の案内手段による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を順次切り替えて、当該第２の事項に関する当該複数の選択項目に含まれる個々の選択項目を順に表示するとともに、表示している選択項目を選択するか否かの問い合わせをユーザに対して行う第２の案内手段と、を備える電子機器である。
請求項２に記載の発明は、機器を動作させるためにユーザへの問い合わせを必要とする複数の事項のうちの第１の事項について問い合わせるための第１の通常画面であって複数の選択項目が表示された第１の通常画面を表示する第１の画面表示手段と、前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の画面表示手段と、前記第１の通常画面が表示された後、予め定められた時間内にユーザからの回答が無かった場合、または、予め想定している操作とは異なる操作がユーザによりなされた場合、表示画面の切り替えを行い、前記第１の事項に関する前記複数の選択項目の総数よりも少ない数の選択項目を表示するとともに、当該選択項目を選択するか否かの問い合わせをユーザに対して行う第１の案内手段と、前記第１の案内手段による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を切り替えて、当該第２の事項に関する当該複数の選択項目の総数よりも少ない数の選択項目の表示を行うととともに、当該選択項目を選択するか否かの問い合わせをユーザに対して行う第２の案内手段と、を備える電子機器である。
請求項３に記載の発明は、機器を動作させるためにユーザへの問い合わせを必要とする複数の事項のうちの第１の事項について問い合わせるための第１の通常画面を表示する第１の画面表示手段と、前記第１の通常画面が表示された後、予め想定している操作が予め定められた時間内にユーザによりなされ当該ユーザからの回答があった場合に、前記複数の事項のうちの第２の事項について問い合わせるための第２の通常画面を表示する第２の画面表示手段と、前記第１の通常画面が表示された後、予め定められた時間内にユーザからの回答が無かった場合、または、予め想定している操作とは異なる操作がユーザによりなされた場合に、回答を補助するための案内を行う第１の案内手段と、前記第１の案内手段による案内が行われた後に前記第２の事項についての問い合わせがユーザに対して行われる際、回答を補助するための案内は行わずに最初に前記第２の通常画面を表示し、当該第２の通常画面を表示した後、予め定められた時間内にユーザからの回答が無かった場合、または、予め想定している操作とは異なる操作がユーザによりなされた場合、回答を補助するための当該案内を行う第２の案内手段と、を備え、前記第１の案内手段は、予め定められた表示を行うことで前記案内を行うとともに当該表示を順次切り替え複数の事項について案内を行うとともに、当該表示を切り替える度に、表示している事項を選択するか否かの問い合わせをユーザに対して行い、前記第１の案内手段が前記表示を順次切り替え前記事項を順に表示していく際、当該第１の案内手段は、ユーザにより選択される頻度の高い事項から順に当該表示を行う電子機器である。
【０００６】
請求項４に記載の発明は、前記第１の案内手段は、予め想定している操作が前記予め定められた時間内にユーザによりなされ当該ユーザからの回答があったとしても、当該回答の後になされる予定の他の回答が予め定められた時間内になされない場合、前記案内を開始することを特徴とする請求項３記載の電子機器である。
請求項５に記載の発明は、前記第１の案内手段は、予め定められた表示を行うことで前記案内を行うとともに予め定められた音声を出力し当該案内を行うことを特徴とする請求項３又は４に記載の電子機器である。
【０００７】
請求項６に記載の発明は、機器を動作させるためにユーザへの問い合わせを必要とする複数の事項のうちの第１の事項について問い合わせるための第１の通常画面であって複数の選択項目が表示された第１の通常画面を表示する第１の表示制御機能と、前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の表示制御機能と、前記第１の通常画面が表示された後、予め定められた時間内にユーザからの回答が無かった場合、または、予め想定している操作とは異なる操作がユーザによりなされた場合、表示画面を順次切り替えて、前記第１の事項に関する前記複数の選択項目に含まれる個々の選択項目を順に表示するとともに、表示している選択項目を選択するか否かの問い合わせをユーザに対して行う第１の案内機能と、前記第１の案内機能による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を順次切り替えて、当該第２の事項に関する当該複数の選択項目に含まれる個々の選択項目を順に表示するとともに、表示している選択項目を選択するか否かの問い合わせをユーザに対して行う第２の案内機能と、をコンピュータに実現させるためのプログラムである。
請求項７に記載の発明は、機器を動作させるためにユーザへの問い合わせを必要とする複数の事項のうちの第１の事項について問い合わせるための第１の通常画面であって複数の選択項目が表示された第１の通常画面を表示する第１の表示制御機能と、前記第１の通常画面が表示された後、予め想定している操作が予め定められた時間内にユーザによりなされ当該ユーザからの回答があった場合に、前記複数の事項のうちの第２の事項について問い合わせるための第２の通常画面であって複数の選択項目が表示された第２の通常画面を表示する第２の表示制御機能と、前記第１の通常画面が表示された後、予め定められた時間内にユーザからの回答が無かった場合、または、予め想定している操作とは異なる操作がユーザによりなされた場合、表示画面の切り替えを行い、前記第１の事項に関する前記複数の選択項目の総数よりも少ない数の選択項目を表示するとともに、当該選択項目を選択するか否かの問い合わせをユーザに対して行う第１の案内機能と、前記第１の案内機能による案内が行われた後に前記第２の事項についての問い合わせがユーザに対して行われる際、複数の選択項目が表示された前記第２の通常画面を表示し、当該第２の通常画面を表示した後、予め定められた時間内にユーザからの回答が無かった場合、または、予め想定している操作とは異なる操作がユーザによりなされた場合、表示画面を切り替えて、当該第２の事項に関する当該複数の選択項目の総数よりも少ない数の選択項目の表示を行うととともに、当該選択項目を選択するか否かの問い合わせをユーザに対して行う第２の案内機能と、をコンピュータに実現させるためのプログラムである。
請求項８に記載の発明は、機器を動作させるためにユーザへの問い合わせを必要とする複数の事項のうちの第１の事項について問い合わせるための第１の通常画面を表示する第１の表示制御機能と、前記第１の通常画面が表示された後、予め想定している操作が予め定められた時間内にユーザによりなされ当該ユーザからの回答があった場合に、前記複数の事項のうちの第２の事項について問い合わせるための第２の通常画面を表示する第２の表示制御機能と、前記第１の通常画面が表示された後、予め定められた時間内にユーザからの回答が無かった場合、または、予め想定している操作とは異なる操作がユーザによりなされた場合に、回答を補助するための案内を行う第１の案内機能と、前記第１の案内機能による案内が行われた後に前記第２の事項についての問い合わせがユーザに対して行われる際、回答を補助するための案内は行わずに最初に前記第２の通常画面を表示し、当該第２の通常画面を表示した後、予め定められた時間内にユーザからの回答が無かった場合、または、予め想定している操作とは異なる操作がユーザによりなされた場合、回答を補助するための当該案内を行う第２の案内機能と、をコンピュータに実現させるためのプログラムであり、前記第１の案内機能は、予め定められた表示を行うことで前記案内を行うとともに当該表示を順次切り替え複数の事項について案内を行うとともに、当該表示を切り替える度に、表示している事項を選択するか否かの問い合わせをユーザに対して行い、前記第１の案内機能が前記表示を順次切り替え前記事項を順に表示していく際、当該第１の案内機能は、ユーザにより選択される頻度の高い事項から順に当該表示を行うプログラムである。
【発明の効果】
【０００８】
請求項１〜３の発明によれば、操作に不慣れな者が機器に対する情報の入力を行う際の操作性を向上させつつ情報の入力を終えるまでの時間を短くすることが可能な電子機器を提供することができる。
請求項４の発明によれば、本発明を採用しない場合に比べ、操作に不慣れな者が機器に対する情報の入力を行う際の操作性をさらに向上させることができる。
請求項５の発明によれば、本発明を採用しない場合に比べ、操作に不慣れな者が機器に対する情報の入力を行う際の操作性をさらに向上させることができる。
請求項６〜８の発明によれば、操作に不慣れな者が機器に対する情報の入力を行う際の操作性を向上させつつ情報の入力を終えるまでの時間を短くすることが可能なプログラムを提供することができる。
【図面の簡単な説明】
【０００９】
【図１】本実施形態に係るプリントシステムを示した図である。
【図２】画像形成装置に設けられた制御部のハードウェア構成例である。
【図３】待機時のモニタを示した図である。
【図４】コピーが選択された際の画面を示した図である。
【図５】モニタにて表示される画面の他の一例を示した図である。
【図６】モニタにて表示される画面の他の一例を示した図である。
【図７】モニタにて行われる表示に関し制御部にて実行される処理を示した図である。
【図８】モニタにて行われる表示に関し制御部にて実行される処理を示した図である。
【図９】予め定められた時間内にモニタへの操作がなかった場合に表示される画面の一例を示した図である。
【発明を実施するための形態】
【００１０】
以下、添付図面を参照して、本発明の実施の形態について詳細に説明する。
図１は、本実施形態に係るプリントシステム１を示した図である。
電子機器の一例としてのこのプリントシステム１には、ユーザからの金銭を受領する課金装置１２、用紙に対して画像を形成する画像形成装置１０が設けられている。また、このプリントシステム１には、ユーザからの指示の受け付け、ＵＳＢメモリなどの記憶媒体からの情報の読み出し、さらに、ユーザへの通知を行うインタフェースユニット１６が設けられている。
【００１１】
画像形成装置１０には、ユーザによりセットされた原稿上の画像を読み取る画像読み取り部２２が設けられている。ここで、この画像読み取り部２２は、不図示のスキャナユニットを動作させることで所謂ライン走査によって原稿上の画像を読み取り、画像データを取得する。また、画像形成装置１０には、用紙に対して画像を形成する画像形成部２４が設けられている。また、画像形成装置１０には、プログラム制御されたＣＰＵにより構成され、画像読み取り部２２、画像形成部２４、課金装置１２、および、インタフェースユニット１６を制御する制御部６０が設けられている。また、画像形成装置１０には、ユーザが近づいたことを検知する検知センサＳが設けられている。
【００１２】
ここで、図示は省略するが、画像形成部２４には、感光体ドラム、感光体ドラムを帯電する帯電器、感光体ドラムにレーザ光を照射し静電潜像を形成するレーザ露光器、感光体ドラムに形成された静電潜像をトナーを用いて現像する現像装置、感光体ドラム上に形成されたトナー像を用紙に対し転写する転写装置が設けられており、画像形成部２４は、いわゆる電子写真方式を用いて用紙への画像形成を行う。なお、本実施形態における画像形成部２４は、このように電子写真方式を用いて画像を形成するが、インクジェット方式などを利用して画像を形成してもよい。
【００１３】
次に、インタフェースユニット１６について説明する。
インタフェースユニット１６には、タッチパネル方式のモニタ１８が設けられている。また、インタフェースユニット１６には、ユーザが有する記憶媒体がセットされこの記憶媒体から画像データなどの情報を読み出すインタフェース部２０が設けられている。また、インタフェースユニット１６には、ユーザが有する電子マネー（ＩＣカード）からの情報の読み出しおよび電子マネーへの情報の書き込みを行うリーダライタ装置２１が設けられている。
【００１４】
一方、課金装置１２は、箱状に形成されるとともに、課金装置１２の上面には、操作パネル１２Ａが設けられている。そしてこの操作パネル１２Ａには、不図示の操作ボタンや表示部が設けられている。また、操作パネル１２Ａには、金銭投入部（不図示）が設けられている。本実施形態では、プリントシステム１を利用するユーザが、予め定められた金銭をこの金銭投入部に投入することで、または、電子マネーをリーダライタ装置２１にセットすることで、ユーザは、コピー機能、プリント機能、スキャナ機能などを利用できるようになる。
【００１５】
図２は、画像形成装置１０に設けられた制御部６０のハードウェア構成例である。制御部６０は、ＣＰＵ（Central Processing Unit）３４、ＲＡＭ（Random Access Memory）３６、ＲＯＭ（Read Only Memory）３８、外部Ｉ／Ｆ５５を備えている。ここでＣＰＵ３４は、ＲＯＭ３８に記憶されたプログラムに従い、ＲＡＭ３６との間でデータのやりとりを行いながら処理を実行する。
【００１６】
また、ＣＰＵ３４、ＲＡＭ３６、ＲＯＭ３８、および外部Ｉ／Ｆ５５は、コントロールバスやデータバス等のバス５６を介して互いに接続されている。また、バス５６には、第１のＩ／Ｆ５７を介してインタフェースユニット１６が接続されている。また、バス５６には、第２のＩ／Ｆ５８を介して課金装置１２が接続されている。また、バス５６には、第３のＩ／Ｆ５９を介して画像形成装置１０が接続されている。
【００１７】
ここで、モニタ１８に表示される基本的な画面（通常画面）を説明する。なお、ここでは、コピーが行われる際に表示される画面を一例について説明する。
本実施形態のプリントシステム１では、待機時に、図３（待機時のモニタ１８を示した図）に示す「待機画面」がモニタ１８に表示される。ここで、この待機画面には、同図に示すように、コピーが行われる際にユーザにより押圧（選択）される「コピーボタン」、写真の印刷が行われる際にユーザにより押圧される「写真プリントボタン」、ユーザが持参した原稿の画像読み取りが行われる際に押圧される「スキャンボタン」が表示される。なお、これらのボタン以外に、例えば、ファックス送信が行われる際に押圧されるファックスボタン、ユーザが持参したデジタル文書の印刷がなされるときに押圧される文書プリントボタンが表示されることがある。
【００１８】
ここで、コピーが行われる際には、「コピーボタン」がユーザにより押圧される。これにより、モニタ１８の画面が切り替わり、図４（コピーが選択された際の画面を示した図）に示すように、白黒コピーおよびカラーコピーの何れかをユーザに選択させるための「白黒／カラー選択画面」が表示される。具体的には、同図に示すように、白黒でのコピーをユーザが選択するときに押圧される「白黒ボタン」、フルカラーでのコピーをユーザが選択するときに押圧される「フルカラーボタン」、単色カラーでのカラーコピーをユーザが選択するときに押圧される「単色カラーボタン」が表示される。
【００１９】
そして、「白黒ボタン」、「フルカラーボタン」、および、「単色カラーボタン」の何れかがユーザにより押圧されると、モニタ１８の画面が切り替わり、図５（モニタ１８にて表示される画面の他の一例を示した図）に示すように、コピーを行う先の用紙のサイズをユーザに選択させるための「サイズ選択画面」が表示される。なお、この「サイズ選択画面」では、画面の左側に、原稿のセットの仕方を示した画像も表示される。
【００２０】
ここで、「サイズ選択画面」では、画面の右側に、コピーを行う先の用紙のサイズをユーザに選択させるためのサイズ選択ボタンが表示される。なお、サイズ選択ボタンは、Ａ４の用紙が選択される際に押圧される「Ａ４選択ボタン」、Ａ３の用紙が選択される際に押圧される「Ａ３選択ボタン」、Ｂ４の用紙が選択される際に押圧される「Ｂ４選択ボタン」、Ｂ５の用紙が選択される際に押圧される「Ｂ５選択ボタン」の４つの選択ボタンから構成されている。
【００２１】
そして、「Ａ４選択ボタン」、「Ａ３選択ボタン」、「Ｂ４選択ボタン」、「Ｂ５選択ボタン」のいずれかがユーザにより押圧されると、モニタ１８の画面が切り替わり、図６（モニタ１８にて表示される画面の他の一例を示した図）に示すように、コピーを行う部数や対価の支払い方法をユーザに入力させるための「部数等入力画面」が表示される。ここで、この画面では、画面の中央部に、部数がユーザにより入力される際に押圧されるテンキー１８２と、入力された部数を表示する部数表示部１８３とが表示される。また、画面の左側には、これまでにユーザが入力した情報が表示される。
【００２２】
また、画面の右側には、現金での支払いをユーザが希望する場合に押圧される「現金支払いボタン」、電子マネーでの支払いをユーザが希望する場合に押圧される「電子マネー支払いボタン」が表示される。また、画面の右下には、「スタートボタン」が表示される。ここで、部数の入力、および、対価の支払い方法の選択がなされた後、「スタートボタン」がユーザにより押圧されるとコピーが開始される。具体的には、画像読み取り部２２により原稿上の画像の読み取りが行われ、その後、画像形成部２４により用紙への画像形成が行われる。
【００２３】
ところで、コンビニエンスストアなどに本実施形態のプリントシステム１が設置されている場合、操作に慣れた者から操作に不慣れな者など様々な者がこのプリントシステム１を利用する。そしてこの場合、操作に慣れた者ならば上記にて示した各種選択（入力）を円滑に行うことができる。その一方で、操作に不慣れな者にとっては、入力項目も多く入力を円滑に行うことができないおそれがある。このため、本実施形態では、次のような処理が行われるようにし、操作に不慣れな者でもより円滑に入力が行えるようにしている。
【００２４】
図７、図８は、モニタ１８にて行われる表示に関し制御部６０にて実行される処理を示した図である。なお、ここでは、コピーが行われる際の処理を一例に説明する。
制御部６０は、まず、プリントシステム１の待機中、図３にて示したとおり、「待機画面」を表示する（ステップ１０１）。また、制御部６０は、検知センサＳ（図１参照）からの出力を監視しており、プリントシステム１の前にユーザがいるか否かを判断している（ステップ１０２）。
【００２５】
そして、ユーザがプリントシステム１の前にいると判断した場合、制御部６０は、「待機画面」（モニタ１８）に対するユーザの操作が予め定められた時間になされたか否かを判断する（ステップ１０３）。付言すると、制御部６０は、検知センサＳによるユーザの検知がされてから予め定められた時間内に、図３にて示した、「コピーボタン」、「写真プリントボタン」、「スキャンボタン」のいずれかが押圧されたか否かを判断する。
【００２６】
そして、予め定められた時間内に、例えば、「コピーボタン」が押圧された場合、第１の画面表示手段として機能する制御部６０は、第１の通常画面の一例としての「白黒／カラー選択画面」（図４参照）を表示する（ステップ１０４）。一方で、予め定められた時間内にいずれのボタンも押圧されなかった場合、制御部６０は、ガイドモードに入り、ステップ１０５の処理を実行する。
【００２７】
ここで、ステップ１０５の処理では、図９（予め定められた時間内にモニタ１８への操作がなかった場合に表示される画面の一例を示した図）に示す画面をモニタ１８に表示し、コピーを行うか否かをユーザに問い合わせる。ここで、コピーであるとの回答があった場合（画面中の「はい」が押圧された場合）、制御部６０は、上記ステップ１０４の処理を実行し、「白黒／カラー選択画面」を表示する。
【００２８】
一方、コピーではないとの回答があった場合（画面中の「いいえ」が押圧された場合）、制御部６０は、ステップ１０６の処理を実行する。このステップ１０６では、図９と同様の画面を表示する。即ち、写真のプリントを行うか否かを問う文言と、「はい」、「いいえ」のボタンを表示する。そして、写真のプリントを行うとの回答があった場合、制御部６０は、写真プリント用の画面（不図示）をモニタ１８に表示する（ステップ１０７）。一方、写真のプリントではないとの回答があった場合、制御部６０は、ステップ１０８の処理を実行する。
【００２９】
ここで、ステップ１０８でも、図９にて示した画面と同様の画面を表示し、原稿のスキャンを行うか否かをユーザに問い合わせる。そして、原稿のスキャンであるとの回答があった場合、制御部６０は、スキャン用の画面（不図示）をモニタ１８に表示する（ステップ１０９）。一方で、スキャンではないとの回答があった場合、制御部６０は、例えば「店員に確認してください。」との表示を行い、店員への問い合わせが必要な旨をモニタ１８に表示する（ステップ１１０）。なお、ステップ１１０では、このような処理の他、ユーザが希望する項目がない旨の表示や、スタート画面（待機画面）に戻る処理を行うこともできる。
【００３０】
次に、ステップ１０４以降の処理について説明する。付言すると、「白黒／カラー選択画面」が表示された後の処理について説明する。
制御部６０は、「白黒／カラー選択画面」を表示した後（ステップ１０４の処理を行った後）、この画面に対するユーザの操作が予め定められた時間にあるか否かを判断する（ステップ１１１）。付言すると、制御部６０は、白黒／カラー選択画面を表示してから予め定められた時間内に、図４にて示した、「白黒ボタン」、「カラーボタン」、「単色カラーボタン」のいずれのボタンがユーザにより押圧されたか否かを判断する。そして、画面に対する操作が予め定められた時間になされた場合（いずれかのボタンが押圧された場合）、第２の画面表示手段としても機能する制御部６０は、第２の通常画面の一例としての「サイズ選択画面」（図５参照）を表示する（ステップ１１２）。
【００３１】
一方で、画面に対する操作が予め定められた時間内になされかった場合、第１の案内手段としても機能する制御部６０は、ガイドモードに入り、ステップ１１３の処理を実行する。付言すると、制御部６０は、ユーザの回答を補助するための案内を開始する。具体的には、制御部６０は、図９と同様の表示を行い、白黒コピーであるか否かを問い合わせる。そして、白黒コピーであるとの回答があった場合、ステップ１１２の処理を実行し、「サイズ選択画面」を表示する。その一方で、白黒コピーではないとの回答があった場合、制御部６０は、ステップ１１４において、図９と同様の表示を行い、フルカラーのコピーであるか否かをユーザに問い合わせる。
【００３２】
そして、フルカラーのコピーであるとの回答があった場合、制御部６０は、ステップ１１２の処理を実行し、「サイズ選択画面」を表示する。その一方で、フルカラーのコピーではないとの回答があった場合、制御部６０は、ステップ１１５において、単色のカラーコピーであるか否かをユーザに問い合わせる。そして、単色のカラーコピーであるとの回答があった場合、ステップ１１２の処理を実行し、「サイズ選択画面」を表示する。一方で、単色のカラーコピーではないとの回答があった場合、制御部６０は、上記ステップ１１０と同様、例えば「店員に確認してください。」との表示を行う（ステップ１１６）。
【００３３】
次に、ステップ１１２以降の処理について説明する。付言すると、「サイズ選択画面」が表示された後の処理について説明する。
制御部６０は、「サイズ選択画面」を表示した後（ステップ１１２の処理を行った後）、この画面に対するユーザの操作が予め定められた時間にあるか否かを判断する（ステップ１１７）。具体的には、制御部６０は、サイズ選択画面を表示してから予め定められた時間内に、「Ａ４選択ボタン」、「Ａ３選択ボタン」、「Ｂ４選択ボタン」、「Ｂ５選択ボタン」のいずれか押圧されたか否かを判断する。そして、いずれかのボタンが予め定められた時間内に押圧された場合、制御部６０は、図６にて示した「部数等入力画面」を表示する（ステップ１１８）。
【００３４】
一方で、予め定められた時間内にボタンが押圧されなかった場合、第２の案内手段としても機能する制御部６０は、ガイドモードに入り、ステップ１１９の処理を実行する。付言すると、制御部６０は、ユーザの回答を補助するための案内を開始する。具体的には、制御部６０は、図９にて示した表示と同様の表示を行い、コピーを行う先の用紙のサイズが「Ａ４」であるか否かを問い合わせる。そして、「Ａ４」であるとの回答があった場合、ステップ１１８の処理を実行し、「部数等入力画面」を表示する。その一方で、「Ａ４」ではないとの回答があった場合、制御部６０は、ステップ１２０において、用紙のサイズが「Ａ３」であるか否かを問い合わせる。
【００３５】
そして、「Ａ３」であるとの回答があった場合、制御部６０は、ステップ１１８の処理を実行し、「部数等入力画面」を表示する。その一方で、「Ａ３」ではないとの回答があった場合、制御部６０は、ステップ１２１の処理を実行し、用紙のサイズが「Ｂ４」であるか否かを問い合わせる。そして、「Ｂ４」であるとの回答があった場合、「部数等入力画面」を表示する（ステップ１１８）。その一方で、「Ｂ４」ではないとの回答があった場合、制御部６０は、ステップ１２２において、用紙のサイズが「Ｂ５」であるか否かを問い合わせる。そして、「Ｂ５」であるとの回答があった場合は、「部数等入力画面」を表示する（ステップ１１８）。一方で、「Ｂ５」ではないとの回答があった場合、制御部６０は、上記と同様、例えば「店員に確認してください。」との表示を行う（ステップ１２３）。
【００３６】
次に、ステップ１１８以降の処理について説明する。付言すると、「部数等入力画面」が表示された後の処理について説明する。
ステップ１１８にて、部数等入力画面（図６参照）が表示された後、上記と同様、制御部６０は、画面に対するユーザの操作が予め定められた時間になされたか否かを判断する（ステップ１２４）。具体的には、制御部６０は、部数等入力画面を表示してから予め定められた時間内に、テンキー１８２に対する操作、支払い方法の選択（「現金支払いボタン」および「電子マネー支払いボタン」の一方の選択）のいずれかがなされたか否かを判断する。
【００３７】
そして、制御部６０は、予め定められた時間内に、テンキー１８２に対する操作、支払い方法の選択のいずれか一方の操作がなされると、この一方の操作を受け付ける。その後、制御部６０は、テンキー１８２に対する操作、支払い方法の選択のうちの他方の操作を受け付ける。その後、ユーザによりスタートボタンが押圧されると、制御部６０は、コピーを開始する（ステップ１２５）。具体的には、画像読み取り部２２を動作させて原稿上の画像の読み取りを行うとともに、画像形成部２４を動作させて用紙への画像形成を行う。
【００３８】
一方で、上記予め定められた時間内に、テンキー１８２に対する操作、および、支払い方法の選択がなされなかった場合、制御部６０は、ガイドモードに入り、ステップ１２６の処理を実行する。具体的には、制御部６０は、テンキー１８２をモニタ１８に表示するとともに、「コピーの部数を入力してください。」との文言をモニタ１８に表示し、コピーの部数をユーザに問い合わせる（ステップ１２６）。
【００３９】
そして、部数の入力が行われると、制御部６０は、「現金支払いボタン」および「電子マネー支払いボタン」をモニタ１８に表示するとともに、「一方のボタンを押してください。」との文言をモニタ１８に表示し、金銭の支払い方法をユーザに問い合わせる（ステップ１２７）。そして、「現金支払いボタン」および「電子マネー支払いボタン」の一方のボタンがユーザにより押圧されると、制御部６０は、「スタートボタン」をモニタ１８に表示する（ステップ１２８）。そしてこの「スタートボタン」がユーザにより押圧されると、制御部６０はコピーを開始する（ステップ１２５）。
【００４０】
ここで、本実施形態では、上記ステップ１２４にて説明したように、予め定められた時間内に、テンキー１８２に対する操作、および、支払い方法の選択がなされなかった場合、ガイドモードに入るようになる。逆に、本実施形態では、テンキー１８２に対する操作、支払い方法の選択のいずれか一方でも操作がなされればガイドモードに入らない。ところで、この一方の操作がこの予め定められた時間内になされたとしても、この一方の操作の後になされる予定にある他方の操作が滞ることが起こりうる。ここで、このような場合にもガイドモードとすることが好ましい。
【００４１】
そこで例えば、上記一方の操作があってから予め定められた時間内に他方の操作がない場合、ガイドモードとすることができる。さらに具体的に説明すると、例えば、上記予め定められた時間内にテンキー１８２に対する操作があり（「部数等入力画面」が表示されてから予め定められた時間内にテンキー１８２に対する操作があり）、ガイドモードに入らないケースであったとしても、このテンキー１８２に対する操作から予め定められた時間内に支払い方法の選択がなされない場合、ステップ１２７以降の処理を実行し、ガイドモードとすることができる。
【００４２】
ところで、上記にて説明したとおり、コンビニエンスストアなどにプリントシステム１が設置された場合、操作に慣れた者から操作に不慣れな者など様々な者がこのプリントシステム１を使用する。ここで、操作に不慣れな者が使用する場合、操作方法が分からないために、画面に対する操作（入力）が滞ることがある。かかる場合、本実施形態では、上記にて説明したようにガイドモードに入るようになる。この結果、本実施形態のプリントシステム１では、操作に不慣れな者が操作する場合であっても必要とされる入力がより速やかに行われるようになる。
【００４３】
なお、操作に慣れた者が操作する際にも上記ガイドモードに入ってしまうと、操作に慣れた者が操作する際の操作時間（入力時間）が長くなってしまう。このため、本実施形態では、上記のとおり、予め定められた時間内に操作があった場合にはガイドモードに入らないようにし、操作に慣れた者が操作する際の操作時間が長くなることを抑制するようにしている。
【００４４】
また、本実施形態では、全ての入力項目についてガイドを行っていく場合に比べ、ユーザが入力に要する時間が短くなる。付言すると、全ての入力項目についてガイドを行っていく場合に比べ、より短い時間で全ての項目について入力を行うことができるようになる。さらに説明すると、本実施形態では、最初の入力がなされてから最後の入力が終了するまでガイドを継続して行う場合に比べ、より速やかに入力を終えられるようになる。
【００４５】
ここで、本実施形態では、例えば、「白黒／カラー選択画面」に対する操作が予め定められた時間内になされない場合、上記のとおりガイドモードに入るが、その一方で、例えば、「サイズ選択画面」に対する操作が予め定められた時間内になされた場合、ガイドモードには入らない。付言すると、「白黒／カラー選択画面」に対する操作が予め定められた時間内になされずガイドモードに入ったとしても、そのままこのガイドモードは継続されず、「サイズ選択画面」が一旦表示される。さらに説明すると、「白黒／カラー選択画面」に対する操作が予め定められた時間内になされずガイドモードに入ったとしても、次のステップでは、最初に「サイズ選択画面」が表示され、その後、必要に応じてガイドモードに入る。
【００４６】
ユーザによっては、一部の入力を行う際にその操作が滞ってしまったとしても、他の操作については熟知しておりすぐに入力を行うことができる場合がある。本実施形態では、この場合、操作が滞った部分でガイドモードに入り、操作を熟知している部分ではガイドモードに入らない。このため、全ての入力項目についてガイドを行っていく場合に比べ、ユーザが入力を行う際に要する時間が短くなる。
【００４７】
なお、本実施形態では、上記のとおり、画面に対する操作が予め定められた時間内にない場合にガイドモードに入るようにしたが、ユーザによりなされた操作が予め定められた条件を満たす操作であるか否か判断し、予め定められた条件外の操作である場合にガイドモードに入るようにしてもよい。付言すると、ユーザによりなされた操作が予め想定している操作であるか否かを判断し、予め想定している操作以外の操作である場合にガイドモードに入るようにしてもよい。例えば、「白黒／カラー選択画面」（図４参照）が表示されている最中に、画面の余白部分（ボタンが表示されている部分以外の部分）がユーザにより押圧された場合、予め定められた条件外の操作がなされたと判断し、ガイドモードとすることができる。
【００４８】
また、上記では、ガイドモードに入った際、画面のみでガイドを行うようにしたが不図示のスピーカーから音声を出力し音声案内も併せて行なうようにしてもよい。
また、本実施形態では、ガイドモードに入った際、例えば、ステップ１１３〜ステップ１１５にて説明したように、ユーザへの問い合わせを順次行う。付言すると、複数の問い合わせ項目を順に表示するとともに、各々の表示にて「はい」、「いいえ」の表示を行い、問い合わせ項目を選択するか否かの問い合わせをユーザに対して行う。ところで、この際、ユーザにより選択される可能性の高い項目から順に問い合わせ（表示）を行っていくことが好ましい。付言すると、ユーザにより選択される頻度が高い項目から順に問い合わせを行っていくことが好ましい。
【００４９】
この場合、複数の問い合わせのうちの後半部分の問い合わせが省略される可能性が高まり、ユーザは、入力操作をより速やかに終えることができるようになる。なお、本実施形態のステップ１１３〜ステップ１１５の処理では、選択される頻度の最も高い白黒コピーについて先に問い合わせるようにし、次いで、フルカラーコピーについての問い合わせを行う。そして、最後に、選択される頻度の最も低い単色でのカラーコピーについての問い合わせを行う。
【００５０】
また、上記では、画面を順次切り替えることでガイドを行っていったが（モニタ１８を用いてガイドを行っていったが）、画面の切り替えを行わず（画面の表示を変化させず）、音声をスピーカー（不図示）から出力することでガイドを行うようにしてもよい。なお、この場合も、本実施形態では、全体を通して音声のガイドがなされるのでなく、ユーザの入力が滞った部分においてのみ音声のガイドがなされるようになる。具体的に説明すると、例えば、「白黒／カラー選択画面」が表示されている際にユーザの入力が滞った場合には音声ガイドが流れるが、例えば「部数等入力画面」が表示されている際に入力が遅滞なくなされたときには音声ガイドが流れないようになる。
【００５１】
また、上記では、コピーがなされるときの処理を一例に説明したが写真プリントやファックスがなされるときにも上記と同様の処理が行われる。
また、本実施形態では、プリントシステム１を一例に説明したが、上記にて説明した処理は、カーナビゲーション装置や券売機など、ユーザによる情報の入力が行われる他の電子機器でも行うことができる。
【００５２】
なお、上記にて説明した処理を実現するためのプログラムは、プリントシステム１を顧客やユーザに対して提供する際に、装置の中にインストールされた状態にて提供される場合の他、プログラムをコンピュータが読取可能に記憶した記憶媒体等にて提供する形態が考えられる。この記憶媒体としては、例えばＣＤ−ＲＯＭ媒体等が該当し、ＣＤ−ＲＯＭ読取装置（図示せず）等によってプログラムが読み取られることでこのプログラムが実行されるようになる。また、上記プログラムは、例えばプログラム伝送装置（図示せず）によってネットワークを介して提供される場合もある。
【符号の説明】
【００５３】
１…プリントシステム、１０…画像形成装置、１２…課金装置、１６…インタフェースユニット、１８…モニタ、２０…インタフェース部、６０…制御部
【図１】
0005942524.tif 000002
【図２】
0005942524.tif 000003
【図３】
0005942524.tif 000004
【図４】
0005942524.tif 000005
【図５】
0005942524.tif 000006
【図６】
0005942524.tif 000007
【図７】
0005942524.tif 000008
【図８】
0005942524.tif 000009
【図９】
0005942524.tif 000010